(57)【要約】搭載部が、回路基板にフィルタコンポーネントを結合するように構成されている。搭載部が、配線・基板間電気コネクタを収容するように大きさを決められた収容部を規定している。搭載部における配線・基板間電気コネクタの収容が、コネクタにより回路基板に電気的に接続された１つまたは複数の配線を、フィルタコンポーネントハウジングに収容されたフィルタコンポーネントと整列させる。【選択図】図１
2021526730.tif 000002
【特許請求の範囲】
【請求項１】
回路基板と、
フィルタコンポーネントと、
前記フィルタコンポーネントを収容するように構成されたフィルタコンポーネントハウジングであって、前記フィルタコンポーネントハウジングが、前記回路基板に結合された、前記フィルタコンポーネントハウジングと、
前記回路基板に電気的に接続された少なくとも１つの配線であって、前記フィルタコンポーネントを通る前記少なくとも１つの配線と、
を備える、デバイス。
【請求項２】
前記回路基板に結合された配線・基板間電気コネクタであって、前記回路基板に前記少なくとも１つの配線を電気的に接続する前記配線・基板間電気コネクタを更に備える、
請求項１に記載のデバイス。
【請求項３】
前記フィルタコンポーネントが、フェライトビーズを備え、
前記フィルタコンポーネントハウジングが、フェライトビーズハウジングである、
請求項１または請求項２に記載のデバイス。
【請求項４】
前記フィルタコンポーネントが、前記配線と配線・基板間電気コネクタとの間の電気接続部を形成する場所と整列した開口を規定している、
請求項１または請求項３に記載のデバイス。
【請求項５】
前記開口が、前記電気接続部を形成する前記場所と軸方向に整列した、
請求項４に記載のデバイス。
【請求項６】
前記フィルタコンポーネントが、おおむねリング形であり、
前記フィルタコンポーネントハウジングが、前記フィルタコンポーネントを収容するように大きさを決められた空洞を規定している、
請求項１から請求項５のいずれか一項に記載のデバイス。
【請求項７】
前記フィルタコンポーネントハウジングが、配線・基板間電気コネクタを囲む搭載部により前記回路基板に結合された、
請求項１から請求項６のいずれか一項に記載のデバイス。
【請求項８】
前記搭載部が、請求項２３から請求項２８のいずれか一項に記載の搭載部である、
請求項７に記載のデバイス。
【請求項９】
前記回路基板が、ゲートドライバユニットまたは電力コンバーターの一部である、
請求項１から請求項８のいずれか一項に記載のデバイス。
【請求項１０】
前記回路基板に結合された電力コンバーター制御装置を更に備える、
請求項１から請求項８のいずれか一項に記載のデバイス。
【請求項１１】
第２のフィルタコンポーネントと、
前記第２のフィルタコンポーネントを収容するように構成された第２のフィルタコンポーネントハウジングであって、前記第２のフィルタコンポーネントハウジングが、前記回路基板に結合された、前記第２のフィルタコンポーネントハウジングと、
前記回路基板に結合された第２の配線・基板間電気コネクタと、
前記第２の配線・基板間電気コネクタに電気的に接続された第２の配線であって、前記第２のフィルタコンポーネントを通る前記第２の配線と、
を更に備える、
請求項１から請求項８のいずれか一項に記載のデバイス。
【請求項１２】
前記フィルタコンポーネントが、フェライトブロック、コア、リング、ＥＭＩフィルタ、またはチョークのうちの１つである、
請求項１に記載のデバイス。
【請求項１３】
回路基板にフィルタコンポーネントを搭載するためのシステムであって、
前記システムが、
前記フィルタコンポーネントを収容するように大きさを決められたフィルタコンポーネントハウジングと、
前記フィルタコンポーネントハウジングと前記回路基板との間の搭載部と、
を備え、
前記搭載部が、前記回路基板に前記フィルタコンポーネントハウジングを結合するために構成された、
システム。
【請求項１４】
前記搭載部が、前記フィルタコンポーネントハウジングに、および前記回路基板に接続された、
請求項１３に記載のシステム。
【請求項１５】
前記搭載部が、前記回路基板を通って突出するように、および前記回路基板に前記搭載部を接続するように大きさを決められた１つまたは複数のスルーボード突出部を備える、
請求項１３から請求項１４のいずれか一項に記載のシステム。
【請求項１６】
前記搭載部が、配線・基板間電気コネクタを収容するように大きさを決められた収容部を規定し、
前記搭載部における前記配線・基板間電気コネクタの収容が、前記配線・基板間電気コネクタにより前記回路基板に電気的に接続された１つまたは複数の配線を、前記フィルタコンポーネントハウジングに収容された前記フィルタコンポーネントと整列させる、
請求項１３から請求項１５のいずれか一項に記載のシステム。
【請求項１７】
前記フィルタコンポーネントと前記フィルタコンポーネントハウジングとの各々が、１つまたは複数の配線を通すように大きさを決められたそれぞれの開口を規定しており、
前記フィルタコンポーネントが前記フィルタコンポーネントハウジングに収容されたとき、それぞれの前記開口が整列する、
請求項１３から請求項１６のいずれか一項に記載のシステム。
【請求項１８】
前記フィルタコンポーネントハウジングが、おおむねリング形のフィルタコンポーネントを収容するように大きさを決められたおおむねリング形の空洞を規定している、
請求項１３から請求項１７のいずれか一項に記載のシステム。
【請求項１９】
前記フィルタコンポーネントハウジングが、前記搭載部に可逆的に結合された、
請求項１３から請求項１８のいずれか一項に記載のシステム。
【請求項２０】
前記フィルタコンポーネントが、少なくとも１つの配線を通すように構成された開口を含み、
前記フィルタコンポーネントハウジングが、前記回路基板から縦方向に延びた配線を収容するように配向された前記開口を含む前記フィルタコンポーネントを収容するように大きさを決められた、
請求項１３から請求項１９のいずれか一項に記載のシステム。
【請求項２１】
前記フィルタコンポーネントが、フェライトビーズであり、前記フィルタコンポーネントハウジングが、フェライトビーズハウジングである、
請求項１３から請求項２０のいずれか一項に記載のシステム。
【請求項２２】
前記搭載部が、請求項２３から請求項２８のいずれか一項に記載の搭載部である、
請求項１３から請求項２１のいずれか一項に記載のシステム。
【請求項２３】
回路基板にフィルタコンポーネントを結合するように構成された搭載部であって、
前記搭載部が、前記回路基板に配線を接続するための電気接続部を収容するように大きさを決められた収容部を規定しており、
前記搭載部における前記電気接続部の収容が、前記フィルタコンポーネントがフィルタコンポーネントハウジングに収容されたとき、コネクタにより前記回路基板に電気的に接続された１つまたは複数の配線を整列させる、
搭載部。
【請求項２４】
前記電気接続部が、配線・基板間電気コネクタを備える、
請求項２３に記載の搭載部。
【請求項２５】
前記搭載部が、前記回路基板を通って延びるように大きさを決められたスルーボード突出部を備える、
請求項２３から請求項２４のいずれか一項に記載の搭載部。
【請求項２６】
前記スルーボード突出部が、前記回路基板とのスナップ留め接続部を形成するように構成された、
請求項２５に記載の搭載部。
【請求項２７】
前記スルーボード突出部が、前記回路基板における適切に大きさを決められた開口を通した前記スルーボード突出部の挿入中に内向きに曲がるように構成された外向きに延びた翼状部であって、前記搭載部の基板対向面が前記回路基板に接近したときに外向きに延びた位置に戻るように構成された前記外向きに延びた翼状部を備える、
請求項２６に記載の搭載部。
【請求項２８】
前記搭載部が、前記フィルタコンポーネントハウジングに可逆的に結合するように構成された、
請求項２６から請求項２７のいずれか一項に記載の搭載部。
【請求項２９】
前記フィルタコンポーネントが、フェライトビーズであり、
前記フィルタコンポーネントハウジングが、フェライトビーズハウジングである、
請求項２３から請求項２８のいずれか一項に記載の搭載部。
【請求項３０】
前記フィルタコンポーネントが、フェライトブロック、コア、リング、ＥＭＩフィルタ、またはチョークのうちの１つである、
請求項２３に記載の搭載部。
【発明の詳細な説明】
【技術分野】
【０００１】
本出願は、２０１８年５月３１日に出願された米国仮特許出願第６２／６７８，８４２号の利益を主張し、同出願の内容の全体が参照により本明細書に組み込まれる。
【０００２】
本開示は、フェライトビーズのためのハウジングに関する。例えば、ハウジングは、プリント回路基板または他の回路基板に搭載するために設計され得る。
【背景技術】
【０００３】
フェライトビーズ（フェライトブロック、コア、リング、ＥＭＩフィルタ、またはチョークとしても知られる）は、高周波ノイズ、例えば、１００ｋＨｚ台から１０ＭＨｚ以上までの範囲のノイズ、およびコモンモード電流を抑制し得る受動電気コンポーネントである。フェライトビーズは、電流の流れに関連した磁場を集中させ得、および、ノイズを妨げるように、またはフィルタ処理するようにインダクタンスを大きくし得る。フェライトビーズは、フェライト自体内の抵抗損失を更に生成し得る。結果的に得られるものは、比較的広い周波数範囲にわたってノイズを低減または除去する、その比較的広い周波数範囲にわたるインピーダンスである。
【発明の概要】
【発明が解決しようとする課題】
【０００４】
本出願は、フェライトビーズのためのハウジングまたは他のフィルタコンポーネントに関する。
【課題を解決するための手段】
【０００５】
ハウジングは、直接的な接続により、または、１つまたは複数の介在要素により間接的に、電気回路基板、例えばプリント回路基板に機械的に結合されるように設計されている。ハウジングは、配線・基板間コネクタと組み合わされて基板に結合され得る。例えば、配線・基板間コネクタはプリント回路基板に接続され得、フェライトビーズハウジングは配線・基板間コネクタに接続され得る。別の例として、フェライトビーズハウジングは、配線・基板間コネクタの近傍においてプリント回路基板に接続され得る。いずれの場合においても、比較的強固な機械的結合がフェライトビーズと基板との間において確立され得る。
【０００６】
このような比較的強固な機械的結合は、プリント回路基板が可動コンポーネントの一部である多くの用途において、または、コンポーネントが振動させられる、揺さぶられる、または別様に機械的に乱される場合に有益であり得る。例えば、プリント回路基板は、例えば、動く車両（例えば自動車、トラム）に、可動部品（例えば風車、発電機）上の発電装置または可動部品付近の発電装置に、建設機器（例えばクレーン）に、産業用途に搭載され得る。比較的強固な結合を形成することにより、フェライトビーズ、基板、および配線、または他の導電体の相対的な位置関係が、より一定に留まる。更に、フェライトビーズおよび基板の動きに関連した力は、例えばビーズを通るどの導電体でもなく、フェライトビーズと基板との間の結合により支えられる。
【０００７】
例えば、デバイスは、回路基板、フィルタコンポーネント、フィルタコンポーネントを収容するように構成されたフィルタコンポーネントハウジングを含み得、フィルタコンポーネントハウジングは、回路基板に結合されており、また、回路基板に電気的に接続された、およびフィルタコンポーネントを通る配線に結合されている。
【０００８】
別の例として、回路基板にフィルタコンポーネントを搭載するためのシステムは、フィルタコンポーネントを収容するように大きさを決められたフィルタコンポーネントハウジングと、回路基板にフィルタコンポーネントハウジングを結合するためにフィルタコンポーネントハウジングと回路基板との間に配置可能な搭載部とを含み得る。
【０００９】
更に異なる別の例として、搭載部は、回路基板にフィルタコンポーネントを結合するように構成され得る。搭載部は、回路基板に配線を接続するための電気接続部を収容するように大きさを決められた収容部を規定し得る。搭載部における電気接続部の収容は、コネクタにより回路基板に電気的に接続された１つまたは複数の配線を、フィルタコンポーネントハウジングに収容されたフィルタコンポーネントと整列させる。
【００１０】
１つまたは複数の実施態様の詳細が添付図面および以下の説明に記載される。他の特徴、目的、および利点が、説明および図面から、ならびに特許請求の範囲から明らかとなる。
【００１１】
以下の図を参照しながら、本発明の非限定的かつ非網羅的な実施形態が説明され、異なる図の中の同様の参照符号は、別段の指定がない限り同様の部分を示す。
【００１２】
図は、プリント回路基板または他の回路基板にフィルタコンポーネント、例えばフェライトを搭載するための組立体、および、回路基板上における組立体の例示的な搭載の概略図である。
【００１３】
様々な図面における類似の参照符号は類似の要素を示す。
【図面の簡単な説明】
【００１４】
【図１】フェライトまたは他のフィルタコンポーネントを保持するための組立体の斜視図である。
【図２Ａ】図１の組立体の分解図である。
【図２Ｂ】配線またはケーブルを含む図１の組立体の分解図である。
【図３Ａ】図１のフィルタコンポーネントを保持するための組立体のハウジングの斜視図である。
【図３Ｂ】アライニング機構の拡大図を示す図１のハウジングの底部の斜視図である。
【図４】図１の組立体の断面図である。
【図５】ハウジングの底部および基体の上部、ならびに、それらのそれぞれのアライニング機構を示す図１のハウジングおよび基体の斜視図である。
【図６Ａ】フィルタコンポーネントおよび配線・基板間コネクタを保持するための組立体の基体を含む電気コネクタ組立体の分解図である。
【図６Ｂ】配線・基板間コネクタを囲む基体を含む図６Ａの電気コネクタ組立体の平面図である。
【図７Ａ】フィルタコンポーネントを保持するための組立体のための代替的な基体の上面斜視図である。
【図７Ｂ】図７Ｂのフィルタコンポーネントを保持するための組立体のための代替的な基体の底面斜視図である。
【図８Ａ】回路基板に搭載されたフィルタコンポーネントを保持するための組立体の斜視図である。
【図８Ｂ】図８Ａの回路基板に搭載されたフィルタコンポーネントを保持するための組立体の平面図である。
【図８Ｃ】図８Ａの回路基板に搭載されたフィルタコンポーネントを保持するための組立体のうちの１つの側面図である。
【図８Ｄ】図８Ａの回路基板に搭載されたフィルタコンポーネントを保持するための組立体のうちの１つの断面図である。
【発明を実施するための形態】
【００１５】
以下の説明では、本発明を十分に理解してもらうために、多くの特定の詳細事項が記載される。しかし、本発明を実施する際に特定の詳細事項が使用されるとは限らないことが、当業者に明らかである。他の例では、よく知られた材料または方法については、本発明が理解しにくくなるのを防ぐために、詳細には説明されていない。
【００１６】
本明細書中での、「一実施形態」、「実施形態」、「一例」、または「例」についての言及は、実施形態または例との関連で説明される特定の特徴、構造、または特性が本発明の少なくとも１つの実施形態に含まれることを意味する。したがって、本明細書中の様々な場所における「一実施形態において」、「実施形態において」、「一例」、または「例」といった表現の使用は、すべてが同じ実施形態または例に関連するとは限らない。更に、特定の特徴、構造、または特性は、１つまたは複数の実施形態または例において、任意の適切な組み合わせ、および／または部分的組み合わせで組み合わされてもよい。特定の特徴、構造、または特性は、説明される機能を提供する集積回路、電子回路、結合論理回路、または他の適切なコンポーネントに含まれてもよい。加えて、本明細書とともに提供される図が当業者への説明を目的としていること、および図面が一定の縮尺で描かれるとは限らないことが理解される。
【００１７】
上述のように、フェライトビーズは、高周波ノイズを抑制し得る受動電気コンポーネントである。フェライトビーズは、様々な異なる形状因子を伴って実装され得る。例えば、フェライトビーズは、伝導体に固定され、または、回路基板コンポーネント、例えば、トランジスタ、コネクタ、および集積回路のピンの周囲に固定され得る。フェライトビーズは、配線（およびその絶縁材）をクランプする「スナップ式の」または「クランプオン」コアとして実装され得る。概して、フェライトビーズは、コネクタを介して回路基板に結合された配線に滑らせて装着される。しかし、回路基板が、振動させられる、揺さぶられる、または別様に機械的に乱される可動コンポーネントの一部である用途では、動きがフェライトビーズを除去するおそれがある。幾つかの例において、フェライトビーズの除去は、振動試験故障をもたらし、または、配線と基板との間の接続部、または更には配線自体を損傷し得る。
【００１８】
本出願は、例えば、フェライトビーズまたは他のパススルーフィルタコンポーネント（例えば変圧器）を収容すること、および、収容されたパススルーフィルタコンポーネントを回路基板に結合することに関する。例えば、ハウジングは、直接的な接続により、または、１つまたは複数の介在要素により間接的に、回路基板、例えばプリント回路基板に機械的に結合されるように設計され得る。ハウジングは、配線・基板間コネクタの近傍において基板に結合され得る。例えば、パススルーフィルタコンポーネントハウジングは、配線・基板間コネクタの近傍においてプリント回路基板に接続され得る。いずれの場合においても、比較的強固な機械的結合が、パススルーフィルタコンポーネントと基板との間に確立され得る。
【００１９】
ここまでに説明されているように、プリント回路基板が可動コンポーネントの一部である場合、または、コンポーネントが振動させられる、揺さぶられる、または別様に機械的に乱される場合、比較的強固な機械的結合が多くの用途において有益であり得る。例えば、プリント回路基板は、ＩＧＢＴゲートドライバを実装し得る。更に、ＩＧＢＴゲートドライバは、一緒に動く車両において、発電、移送、または消費装置において、建設機器などにおいて、（例えば、並列にまたは直列に）電気的に結合され得る。あるプリント回路基板から別のプリント回路基板に延びた配線が、このような電気的な結合を実現し得る。
【００２０】
ＩＧＢＴゲートドライバ回路基板に電気的に接続するこれらの、および他の配線が、フィルタコンポーネントハウジングによる恩恵を受け得る。ＩＧＢＴゲートドライバは、非常にノイズ問題およびコモンモード電流をもたらす傾向が大きい。フェライトビーズおよび他のフィルタコンポーネントは、コモンモードノイズを減らすために、および、信号耐性を高めるために使用され得る。しかし、ＩＧＢＴゲートドライバ回路基板に電気的に接続された配線にフィルタコンポーネントが単に滑らせて嵌められた場合、配線が機械的に乱されたとき、過度に大きい力により影響を受け得る。
【００２１】
図は、フェライトビーズまたは他のフィルタコンポーネントをプリント回路基板または他の回路基板に搭載するための組立体１００、および、回路基板における１つまたは複数の組立体１００の例示的な搭載の概略図である。各組立体１００は、電気コネクタ組立体１０５と、フェライトビーズまたは他のフィルタコンポーネントのためのハウジング１１０とを含む。電気コネクタ組立体１０５は、図８Ａ、図８Ｂ、図８Ｃ、および図８Ｄに示される回路基板２３０に配線を固定する配線・基板間接続部を形成する。ハウジング１１０は、フェライトビーズまたは他のフィルタコンポーネント１１５を収容する大きさにされた組立体である。ハウジング１１０は開口１２０を規定しており、１つまたは複数の配線が開口１２０を通って電気コネクタ組立体１０５に到達し得る。電気コネクタ組立体１０５およびハウジング１１０は、回路基板２３０および組立体１００が動かされる場合でも、安定した機械的および電気的特性を提供する比較的強固な結合を形成するように回路基板２３０に結合され得る。
【００２２】
便宜上、本説明は以下で、ハウジング１１０を「フェライトビーズハウジング１１０」と呼び、フィルタコンポーネント１１５を「フェライトビーズ１１５」と呼ぶ。しかし、ハウジング１１０が幾つかの場合においてフェライトビーズ以外のフィルタコンポーネントを収容し得ることが理解される。
【００２３】
図１は、電気コネクタ組立体１０５およびハウジング１１０を含む組立体１００の斜視図を示す。図１に示される組立体１００の場合、ハウジング１１０は電気コネクタ組立体１０５に搭載されている。示される実施態様において、電気コネクタ組立体１０５は配線・基板間コネクタ１３５および搭載部１２５を含む。配線・基板間コネクタ１３５は図１に示されていないが、配線・基板間コネクタ１３５は図６Ａ、図６Ｂ、図８Ａ、図８Ｂ、図８Ｃ、および図８Ｄに示される。配線・基板間コネクタ１３５は、回路基板の伝導体と基板から離れる方向に延びた配線との間における１つまたは複数の電気接続部を形成することに適した、多くの異なるコネクタのうちの任意のものであり得る。配線・基板間コネクタ１３５は、電気接続部を形成するために、例えば、ピンおよびソケット、ブレード／接点、はんだ付けなどを含む様々な異なる技術のうちの任意のものを使用し得る。配線・基板間コネクタ１３５の電気端子は、スルーボードまたは表面搭載構成により回路基板の伝導体に接続し得る。
【００２４】
搭載部１２５は、フェライトビーズハウジング１１０と配線・基板間コネクタ１３５の近傍における回路基板との間の比較的強固な機械的結合を提供するように構成された機械部材である。搭載部１２５は、概して、機械的に安定した非伝導材料から作られている。搭載部１２５は、フェライトビーズハウジング１１０と配線・基板間コネクタ１３５の近傍における回路基板２３０との間の中間部材として機能する。概して、搭載部１２５は配線・基板間コネクタ１３５を囲み、配線・基板間コネクタ１３５の周囲において放射状に分布した複数の位置において回路基板に接続される。
【００２５】
示される実施態様において、搭載部１２５は、収容部１４０、ある数のスルーボード突出部１４５、１５０、および、ある数の搭載フランジ１５５、１６０を含む。収容部１４０は図１において明示的に示されていないが、図４、図５、図６Ａ、図６Ｂ、図７Ａ、および図７Ｃに示されることが理解されなければならない。同様に、搭載フランジ１５５、１６０は図１において明示的に示されていないが、図２、図５、図６Ａ、および図６Ｂに示される。収容部１４０は、配線・基板間コネクタ１３５の少なくとも一部を収容するように大きさを決められたボリュームまたは空間を規定する。後で示され、および議論されるように、収容部１４０は、おおむね搭載部１２５の中心にある。突出部１４５、１５０および搭載フランジ１５５、１６０は、収容部１４０の周囲においておおむね対称に、および放射状に配置される。しかし、こうなるとは限らず、突出部１４５、１５０および搭載フランジ１５５、１６０は、収容部１４０の周囲において非対称的に配置されてもよい。実際、起こり得る機械的乱れの指向性が知られている用途では、非対称な構成が好ましい場合がある。
【００２６】
スルーボード突出部１４５、１５０は、搭載部１２５の基板対向面から縦方向に延びており、図８Ａ、図８Ｂ、図８Ｃ、および図８Ｄにおいて全体的に見られる回路基板２３０の厚さにまたがるように大きさを決められている。示される実施態様において、スルーボード突出部１４５は、翼状部１６５を含むスナップ留め部材である。組立てられたとき、翼状部１６５は突出部１４５から外向きに延びている。翼状部は、回路基板２３０における適切に大きさを決められた開口を通した挿入中に突出部１４５に向かって内向きに柔軟であるが、搭載部１２５の基板対向面が回路基板２３０に接近したときに外向きに延びた位置に戻り、堅牢な機械的結合を形成する。スルーボード突出部１４５とは対照的に、スルーボード突出部１５０は翼状部を含まない。突出部１５０は回路基板における適切に大きさを決められた、および位置している開口を通るように大きさを決められており、および位置している。したがって、スルーボード突出部１５０は、回路基板における搭載部１２５の適切な相対的な配置を確実なものとし得、および、更なる機械的安定性の何らかの手段を提供し得る。
【００２７】
他の実施態様において、搭載部１２５と回路基板との間の機械的結合は、他の手法により形成され得る。例えば、スルーボード突出部の数および配置は異なり得る。別の例として、他のタイプの機械的結合（圧縮による嵌め合い、ねじ山による嵌め合い、はんだまたは融解結合部、エポキシ樹脂または他の接着剤など）が使用され得る。
【００２８】
示される実施態様において、フェライトビーズハウジング１１０は、リング形フェライトビーズを収容するように大きさを決められたおおむね管状の部材である。特に、フェライトビーズハウジング１１０は基体１７５および蓋１８０を含み、基体１７５および蓋１８０は−それらが一緒に結合されたときに−フェライトビーズを収容するように大きさを決められた空洞を規定する。概して、空洞は、配線と配線・基板間電気コネクタ１３５との間の電気接続部を形成する場所と縦方向に整列している。基体１７５および蓋１８０は−開口１２０は別として−おおむね中実の構造物として示されるが、こうなるとは限らない。例えば、基体１７５および／または蓋１８０は、フェライトビーズ１１５を露出させる１つまたは複数の開口を含み得る。フェライトビーズハウジング１１０は、概して機械的に安定した非伝導材料から作られている。
【００２９】
構造の一例において、回路基板は、回路基板に装着された、および、配線・基板間コネクタ１３５を囲む搭載部１２５を備え得る。次に、ユーザーは、配線・基板間コネクタ１３５に１つまたは複数の配線を装着する前に、（フェライトビーズ、基体１７５、および蓋１８０を含む）ハウジング１１０の開口１２０を通るように１つまたは複数の配線を滑らせ得る。１つまたは複数の配線が配線・基板間コネクタ１３５に装着された後、ユーザーは、搭載部１２５にハウジング１１０の基体１７５を装着し得る。
【００３０】
図２Ａは、フェライトビーズ１１５を含む、軸Ａに沿った組立体１００の分解図を示す。示されるように、フェライトビーズハウジング１１０は概して、フェライトビーズ１１５を収容するように大きさを決められており、基体１７５および蓋１８０を含む。示される実施態様において、基体１７５は、内壁１８５、外壁１９０、および床１９１を含む。床１９１が斜視図において全体的に隠れていることを示すために、床１９１は点線で輪郭を描かれている。内壁１８５はリング形フェライトビーズ１１５の内側開口を通るように大きさを決められている。内壁１８５は、配線・基板間コネクタ１３５に電気的に接続された１つまたは複数の配線を収容するように大きさを決められた第１の縦開口１９５を更に提供する。内壁１８５は、更に、床１９１により囲まれた第２の縦開口１９６を提供するように大きさを決められている。外壁１９０はフェライトビーズ１１５の外側を囲むように大きさを決められている。示される実施態様において、外壁１９０は、蓋１８０における対応する窪み２１５とともにスナップ留め接続部を形成するように大きさを決められた、および位置した、ある数の突出部１９２を含む。他の実施態様において、基体１７５と蓋１８０との間の機械的結合は他の手法により形成され得る。例えば、突出部および窪みの数および配置は異なり得る。別の例として、他のタイプの機械的結合（圧縮による嵌め合い、ねじ山による嵌め合い、はんだまたは融解結合部、エポキシ樹脂または他の接着剤など）が使用され得る。
【００３１】
床１９１は、基体１７５に収容されたリング形フェライトビーズ１１５を下方から支持するために内壁１８５と外壁１９０との間に延びている。床１９１の底面は、スリット１６７を規定するある数の突出部１６８と、突出部１７０とを含む。突出部１７０は図２Ａにおいて明示的に示されていないが、図５Ａに示される。更に、スリット１６７は図４および図５にも示される。スリット１６７および突出部１７０は、搭載部１２５における対応する搭載フランジ１５５、１６０と相互作用するように、第２の縦開口１９６の周囲におおむね対称に配置されている。図３Ｂおよび図５を参照して更に説明されるように、突出部１６８は、スリット１６７が横方向に配向するように配向されており、第２の縦開口１９６に向かって半径方向内向きに延びている。各突出部１６８は、突出部１６８により規定されたスリット１６７内に対応する横方向に配向した搭載フランジ１５５の先端部分を収容するように構成されており、および位置している。特に、各搭載フランジ１５５は、対応する突出部１６８およびスリット１６７に近接して配置され得る。搭載部１２５とフェライトビーズハウジング１１０との間の相対的な回転が、それぞれのスリット１６７内に搭載フランジ１５５の先端部分を滑り込ませ得る。示される実施態様において、各突出部１６８は、スリット１６７の端部を規定する壁１９７であって、搭載フランジ１５５の先端部分が対応するスリット１６７の他方側から出ることを防ぐ壁１９７を含む。示される実施態様において、搭載部１２５とフェライトビーズハウジング１１０とは可逆的に接続される。特に、逆方向における搭載部１２５とフェライトビーズハウジング１１０との間の相対的な回転は、いずれにも損傷を与えずに搭載部１２５からフェライトビーズハウジング１１０を接続解除するように実施され得る。
【００３２】
蓋１８０は、おおむねフェライトビーズ１１５を収容する空洞を−基体１７５と組み合わされて−形成するように大きさを決められており、および構成されている。示される実施態様において、リング形フェライトビーズ１１５を収容する空洞はまた、フェライトビーズを支障なく囲むがフェライトビーズとフェライトビーズハウジング１１０との間の相対的な動きを制限する、より大きい寸法をもつリング形である。示される実施態様において、蓋１８０は、縦壁２０５と水平の天井２１０とを含む。天井２１０は、縦壁２０５から半径方向内向きに延びている。天井２１０は、蓋１８０が基体１７５にかぶさったときに第１の縦開口１９５に整列するように位置した、および大きさを決められた孔２２０を規定している。孔２２０は、配線・基板間コネクタ１３５に接続するために縦開口１９５を通る同じ１つまたは複数の配線を収容し得る。
【００３３】
縦壁２０５は、基体１７５の外壁１９０を囲むように大きさを決められている。示される実施態様において、縦壁２０５は、ある数の窪み２１５を含む。窪み２１５は、図４、図８Ａ、図８Ｂ、図８Ｃ、および図８Ｄにおいて、より明確に確認されるように基体１７５の外壁１９０における対応する突出部１９２とともにスナップ留め接続部を形成するように大きさを決められており、および位置している。突出部１９２は、基体１７５に対する蓋１８０のスナップ留め接続を補助するように角度決めされている。示される実施態様において、窪み２１５は、縦壁２０５を通って延びた孔であるが、こうなるとは限らない。
【００３４】
他の実施態様において、蓋１８０と基体１７５との間の機械的結合は他の手法により形成され得る。例えば、窪みおよび突出部の数および配置は異なり得る。別の例として、他のタイプの機械的結合（圧縮による嵌め合い、ねじ山による嵌め合い、はんだまたは融解結合部、エポキシ樹脂または他の接着剤など）が使用され得る。更に、蓋１８０は任意選択的であってよく、フェライトビーズ１１５は他の手段、例えば接着剤により基体１７５内に固定されてもよい。
【００３５】
図２Ｂは、フェライトビーズ１１５、および、配線１１７またはケーブルを含む、軸Ａに沿った組立体１００の分解図を更に示す。ケーブルは、１つのジャケットに２つ以上の絶縁された配線を含み得る。図２Ｂに示される分解図は、図２Ａに示される組立体１００の分解図と同様であることが理解されなければならない。しかし、１つの違いは、配線１１７またはケーブルが組立体１００に挿入されて示されていることである。示されるように、ハウジング１１０は開口１２０を規定しており、１つまたは複数の配線１１７（またはケーブル）が開口１２０を通って電気コネクタ組立体１０５に到達し得る。
【００３６】
ハウジング１１０は、基体１７５および蓋１８０を含む。図２Ｂにおいて、フェライトビーズ１１５が更に示される。ハウジング１１０の基体１７５は、内壁１８５と外壁１９０とを含む。内壁１８５はリング形フェライトビーズ１１５の内側開口を通るように大きさを決められており、配線・基板間コネクタに電気的に接続された１つまたは複数の配線１１７を収容するように大きさを決められた第１の縦開口１９５を提供する。蓋１８０は、蓋１８０が基体１７５にかぶせられたときに第１の縦開口１９５に整列するように位置している、および大きさを決められた、ハウジング１１０の開口１２０を規定する孔を更に規定している。開口１１０は、縦開口１９５を通る同じ１つまたは複数の配線１１７を収容し得る。
【００３７】
構造の一例において、回路基板は、回路基板に装着された、および、配線・基板間コネクタ１３５を囲む搭載部１２５を備え得る。次に、ユーザーは、１つまたは複数の配線および／またはケーブル１１７を配線・基板間コネクタ１３５に装着する前に、（フェライトビーズ、基体１７５、および蓋１８０を含む）ハウジング１１０の開口１２０に１つまたは複数の配線および／またはケーブル１１７を滑らせて通し得る。ユーザーが１つまたは複数の配線および／またはケーブル１１７を配線・基板間コネクタ１３５に装着した後、ユーザーは、次に、搭載部１２５にハウジング１１０の基体１７５を装着し得る。
【００３８】
図３Ａは、フェライトビーズ１１５が基体１７５に挿入された状態の、フェライトビーズハウジング１１０の基体１７５の斜視図を示す。基体１７５に挿入されたフェライトビーズ１１５をより明確に示すために、蓋１８０が図示されていないことが理解されなければならない。上述のものと同様に、基体１７５は、内壁１８５、外壁１９０、および床１９１を含む。この図では、床１９１は見ることができないことが理解されなければならない。内壁１８５はリング形フェライトビーズ１１５の内側開口を通るように大きさを決められている。内壁１８５は、配線・基板間コネクタ１３５に電気的に接続された１つまたは複数の配線を収容するように大きさを決められた第１の縦開口１９５を更に提供する。外壁１９０は、フェライトビーズ１１５の外側を囲むように大きさを決められている。示される実施態様において、外壁１９０は、蓋１８０における対応する窪み２１５とともにスナップ留め接続部を形成するように大きさを決められた、および位置しているある数の突出部１９２を含む。突出部１９２は基体１７５に対する蓋１８０のスナップ留め接続を補助するように角度決めされている。図３Ａに示される基体１７５は、搭載部１２５における対応する搭載フランジ１５５と相互作用するスリット１６７を規定する突出部１６８を更に示す。突出部１６８は、スリット１６７が横方向に配向するように配向されており、（図示されていない）第２の縦開口１９６に向かって半径方向内向きに延びている。示される実施態様において、各突出部１６８はスリット１６７の端部を規定する壁１９７であって、搭載フランジ１５５の先端部分が対応するスリット１６７の他方側から出ることを防ぐ壁１９７を含む。
【００３９】
図３Ｂは、突出部１７０と、スリット１６７を規定する突出部１６８とを更に示すための、基体１７５の底部の斜視図を示す。上述のものと同様に、基体１７５は、内壁１８５と外壁１９０と床１９１とを含む。内壁１８５は、床１９１により囲まれた第２の縦開口１９６を提供するように大きさを決められている。床１９１の底面は、スリット１６７を規定するある数の突出部１６８を含む。床１９１の底面は、突出部１７０を更に含む。示される例において、突出部１７０はおおむね円形であるが、突出部１７０は長円形、楕円形、または他の形状であり得る。スリット１６７を伴う突出部１６８、および突出部１７０は、搭載部１２５における対応する搭載フランジ１５５、１６０と相互作用するように、第２の縦開口１９６の周囲においておおむね対称に配置されている。特に、スリット１６７を伴う突出部１６８が搭載フランジ１５５と相互作用するのに対し、突出部１７０は搭載フランジ１６０と相互作用する。突出部１６８は、スリット１６７が横方向に配向するように、および第２の縦開口１９６に向かって半径方向内向きに延びているように配向される。示される実施態様において、各突出部１６８は、スリット１６７の端部を規定する壁１９７を含む。
【００４０】
各突出部１６８は、突出部１６８と床１９１とにより規定されたスリット１６７内に、搭載部１２５の対応する横方向に配向した搭載フランジ１５５の先端部分を収容するように構成されており、および位置している。特に、搭載部１２５の各搭載フランジ１５５は、ハウジング１１０の対応する突出部１６８およびスリット１６７に近接して配置され得る。図５に関連して更に示されるように、搭載部１２５とフェライトビーズハウジング１１０との間の相対的な回転が、搭載フランジ１５５の先端部分を突出部１６８のそれぞれのスリット１６７に滑り込ませ得る。示される実施態様において、各突出部１６８は搭載フランジ１５５の先端部分が対応するスリット１６７の他方側から出ることを防ぐ壁１９７を含む。
【００４１】
図４は、電気コネクタ組立体１０５およびハウジング１１０を含む、フェライトビーズまたは他のフィルタコンポーネントを搭載するための組立体１００の断面図である。電気コネクタ組立体１０５は、配線、１つまたは複数の配線、および／またはケーブルを回路基板に固定する配線・基板間接続部を形成する。フェライトビーズハウジング１１０は、フェライトビーズまたは他のフィルタコンポーネント１１５を収容するように大きさを決められた組立体である。フェライトビーズハウジング１１０は開口１２０を規定しており、１つまたは複数の配線が電気コネクタ組立体１０５に到達するように開口１２０を通り得る。
【００４２】
電気コネクタ組立体１０５は搭載部１２５を含む。搭載部１２５は、配線・基板間コネクタ１３５の近傍において、フェライトビーズハウジング１１０と回路基板との間の比較的強固な機械的結合を提供するように構成された機械部材である。上述のように、搭載部１２５は、概して機械的に安定した非伝導材料から作られる。搭載部１２５は、フェライトビーズハウジング１１０と配線・基板間コネクタ１３５の近傍における回路基板との間の中間部材の役割を果たす。概して、搭載部１２５は、（図６Ａおよび図６Ｂを参照して示されるように）配線・基板間コネクタ１３５を囲んでおり、配線・基板間コネクタ１３５の周囲において放射状に分布した複数の位置において回路基板に接続される。
【００４３】
図４に示されるように、搭載部１２５は、収容部１４０とスルーボード突出部１４５、１５０とを含む。更に説明されるように、搭載部１２５は、搭載フランジを更に含む。収容部１４０は、配線・基板間コネクタの少なくとも一部を収容するように大きさを決められた、および、搭載部１２５のおおむね中心にあるボリュームまたは空間を規定する。
【００４４】
突出部１４５、１５０は、収容部１４０の周囲においておおむね対称に、および放射状に配置されている。しかし、こうなるとは限らないこと、および、突出部１４５、１５０が、収容部１４０の周囲において非対称的に配置されることもあり得ることが理解されなければならない。突出部１４５、１５０は、搭載部１２５の基板対向面から縦方向に延びており、回路基板の厚さにまたがるように大きさを決められている。示される実施態様において、スルーボード突出部１４５は、翼状部１６５を含むスナップ留め部材である。組立てられたとき、翼状部１６５は突出部１４５から外向きに延びている。翼状部１６５は、回路基板における適切に大きさを決められた開口を通した挿入中に、突出部１４５に向かって内向きに柔軟であるが、搭載部１２５の基板対向面が回路基板に接近したときに外向きに延びた位置に戻り、堅牢な機械的結合を形成する。
【００４５】
スルーボード突出部１４５とは対照的に、スルーボード突出部１５０は翼状部を含まない。突出部１５０は、回路基板における適切に大きさを決められた、および位置している開口を通るように大きさを決められており、および位置している。したがって、スルーボード突出部１５０は、回路基板に対する搭載部１２５の適切な相対的な配置を確実なものとし得、および、更なる機械的安定性の何らかの手段を提供し得る。点線１５２は、回路基板の平面を表す。したがって、スルーボード突出部１４５および突出部１４５の一部が回路基板の平面１５２を越えて延びる。
【００４６】
フェライトビーズハウジング１１０は、フェライトビーズを収容するように大きさを決められている。特に、フェライトビーズハウジング１１０は、フェライトビーズを収容するように大きさを決められた空洞１４１を一緒に規定する基体１７５および蓋１８０を含む。概して、空洞１４１は配線と配線・基板間電気コネクタとの間の電気接続部を形成する場所と縦方向に整列する。−開口１２０は別として−基体１７５および蓋１８０はおおむね中実の構造物として示されるが、こうなるとは限らない。例えば、基体１７５および／または蓋１８０は、フェライトビーズを露出する１つまたは複数の開口を含み得る。フェライトビーズハウジング１１０は、概して機械的に安定した非伝導材料から作られる。
【００４７】
ここまでに説明されているように、および図４に更に示されているように、基体１７５は内壁１８５、外壁１９０、および床１９１を含む。内壁１８５はリング形フェライトビーズの内側開口を通るように大きさを決められている。外壁１９０はフェライトビーズの外側を囲むように大きさを決められている。床１９１は基体１７５に収容されたリング形フェライトビーズを下方から支持するように、内壁１８５と外壁１９０との間に延びている。図４に示されるように、床１９１の底面は、ある数のスリット１６７を含む。床１９１の底面は、後の図に更に示されるように、突出部を更に含み得る。スリット１６７は、第２の縦開口１９６の周囲におおむね対称に配置されている。特に、スリット１６７は横方向に配向しており、縦開口１９５に向かって半径方向内向きに延びている。更に示されるように、各スリット１６７は、搭載部１２５の対応する搭載フランジの先端部分を収容するように構成されており、および位置している。
【００４８】
蓋１８０は、フェライトビーズを収容する全体的な空洞１４１を−基体１７５と組み合わされて−形成するように、大きさを決められており、構成されている。示される実施態様において、蓋１８０は、縦壁２０５および水平の天井２１０を含む。天井２１０は、縦壁２０５から半径方向内向きに延びている。天井２１０は、蓋１８０が基体１７５にかぶせられたとき縦開口１９５に整列するように位置した、および大きさを決められた孔を規定している。蓋１８０の孔は、縦開口１９５とともに組立体１００の開口１２０を形成する。
【００４９】
図５は、図１のハウジング１１０および搭載部１２５の斜視図である。特に、斜視図は、ハウジング１１０および搭載部１２５のそれぞれのアライニング機構を示すために、ハウジング１１０の底部および搭載部１２５の上部を示す。
【００５０】
図５の右側は、搭載部１２５を示す。搭載部１２５は、フェライトビーズハウジング１１０と配線・基板間コネクタ１３５の近傍における回路基板との間の比較的強固な機械的結合を提供するように構成された機械部材である。示されるように、搭載部１２５は、収容部１４０、スルーボード突出部１４５、およびある数の搭載フランジ１５５、１６０を含む。収容部１４０は、配線・基板間コネクタ１３５の少なくとも一部を収容するように大きさを決められたボリュームまたは空間を規定する。図示されるように、収容部１４０は搭載部１２５のおおむね中心にある。スルーボード突出部１４５は、搭載部１２５の基板対向面から縦方向に延びており、回路基板の厚さにまたがるように大きさを決められている。示される実施態様において、スルーボード突出部１４５は翼状部１６５を含むスナップ留め部材である。突出部１４５、１５０および搭載フランジ１５５、１６０は、収容部１４０の周囲においておおむね対称に、および放射状に配置されている。しかし、こうなるとは限らず、突出部１４５、１５０および搭載フランジ１５５、１６０は、収容部１４０の周囲において非対称的に配置されることもあり得る。実際、起こり得る機械的乱れの指向性が知られた用途では、非対称な構成が好ましい場合がある。図５では、突出部１５０は見ることができないことが理解されなければならない。
【００５１】
搭載フランジ１５５、１６０は、フェライトビーズハウジング１１０における対応する部材と相互作用するように、および、フェライトビーズハウジング１１０を搭載部１２５に接続するように大きさを決められている。示される実施態様において、搭載フランジ１５５、１６０は収容部１４０の周りに分布しており、収容部１４０の縦方向の（すなわち、回路基板の表面におおむね直交した方向の）壁から横方向に（すなわち、回路基板の表面とおおむね平行な方向に）延びている。搭載フランジ１５５の各々は、フェライトビーズハウジング１１０が搭載部１２５に接続されたときにフェライトビーズハウジング１１０の基板対向面における突出部１６８の対応するスリット１６７に収容されるように、大きさを決められており、および位置している。示される実施態様において、搭載フランジ１６０の各々が、フェライトビーズハウジング１１０の基板対向面における対応する突出部１７０を収容するように大きさを決められた、および位置している窪み１７１を含む。示される例において、窪み１７１および突出部１７０はおおむね円形である。しかし、窪み１７１および突出部１７０が長円形、楕円形、または他の形状であり得ることが理解されなければならない。他の実施態様において、フェライトビーズハウジング１１０の基板対向面が窪みを含み、搭載フランジ１６０が対応する突出部を含んでいてもよい。いずれの場合においても、搭載フランジ１５５、１６０は、フェライトビーズハウジング１１０と搭載部１２５との間の比較的強固な接続を提供するために、突出部１６８、および、突出部１７０のスリット１６７と相互作用する。以下で詳細に説明されるように、接続部は可逆であり、フェライトビーズハウジング１１０は、いずれにも損傷を与えずに搭載部１２５から離され得る。別の例において、フェライトビーズハウジング１１０と搭載部１２５との間の接続は可逆でない。
【００５２】
他の実施態様において、フェライトビーズハウジング１１０と搭載部１２５との間の機械的結合は他の手法により形成され得る。例えば、フランジの数および配置は異なり得る。別の例として、他のタイプの機械的結合（圧縮による嵌め合い、ねじ山による嵌め合い、はんだまたは融解結合部、エポキシ樹脂または他の接着剤など）が使用され得る。
【００５３】
図５の左側に示されるように、ハウジング１１０は基体１７５および蓋１８０を含む。基体１７５は内壁１８５、外壁１９０、および床１９１を含む。内壁１８５は、配線・基板間コネクタに電気的に接続された１つまたは複数の配線を収容するように大きさを決められた第２の縦開口１９６を提供する。外壁１９０は、フェライトビーズの外側を囲むように大きさを決められている。示される実施態様において、外壁１９０は、蓋１８０における対応する窪みとともにスナップ留め接続部を形成するように大きさを決められた、および位置しているある数の突出部１９２を含む。
【００５４】
床１９１は、基体１７５に収容されたリング形フェライトビーズを下方から支持するように、内壁１８５と外壁１９０との間に延びている。床１９１の底面はある数のスリット１６７および突出部１７０を含む。示される突出部１７０はおおむね円形であるが、長円形、楕円形、または他の形状が使用され得る。突出部１６８のスリット１６７および突出部１７０は、搭載部１２５における対応する搭載フランジ１５５、１６０と相互作用するように、第２の縦開口１９６の周囲におおむね対称に配置されている。特に、スリット１６７は横方向に配向しており、縦開口１９６に向かって半径方向内向きに延びている。スリット１６７が対応する横方向に配向した搭載フランジ１５５の先端部分を収容するように、各突出部１６８が構成されており、および位置している。特に、各搭載フランジ１５５は、対応する突出部１６８およびスリット１６７に近接して配置され得る。搭載部１２５とフェライトビーズハウジング１１０との間の相対的な回転は、搭載フランジ１５５の先端部分を突出部１６８のそれぞれのスリット１６７内に滑り込ませ得る。示される実施態様において、各突出部１６８は搭載フランジ１５５の先端部分が対応するスリット１６７の他方側から出ることを防ぐ壁１９７を含む。示される実施態様において、搭載部１２５とフェライトビーズハウジング１１０とは可逆的に接続される。特に、逆方向における搭載部１２５とフェライトビーズハウジング１１０との間の相対的な回転は、いずれにも損傷を与えずに、搭載部１２５からフェライトビーズハウジング１１０を接続解除するように実施され得る。
【００５５】
突出部１７０は縦方向に配向しており、床１９１の基板対向面から延びている。突出部１７０は、搭載フランジ１５５がそれらの対応するスリット１６７に収容されたとき、搭載フランジ１６０における対応する窪み１７１により収容されるように、大きさを決められており、および位置している。搭載フランジ１６０における対応する窪み１７１における突出部１７０の収容は、フェライトビーズハウジング１１０および搭載部１２５の相対的な回転位置を可逆的に維持し得る。したがって、スリット１６７および突出部１７０は、フェライトビーズハウジング１１０と搭載部１２５との間の比較的強固な接続を提供するように搭載フランジ１５５、１６０と相互作用する。
【００５６】
図６Ａは、搭載部１２５と配線・基板間コネクタ１３５とを含む電気コネクタ組立体１０５の分解図を示し、図６Ｂは、搭載部１２５が配線・基板間コネクタ１３５を囲んだ状態の電気コネクタ組立体１０５の平面図を示す。
【００５７】
示される実施態様において、電気コネクタ組立体１０５は、配線・基板間コネクタ１３５および搭載部１２５を含む。配線・基板間コネクタ１３５は、回路基板の伝導体と基板から離れる方向に延びた配線との間の１つまたは複数の電気接続部を形成することに適した多くの異なるコネクタのうちの任意のものであり得る。配線・基板間コネクタ１３５は、電気接続部を形成するために、例えば、ピンおよびソケット、ブレード／接点、はんだ付けなどを包含する様々な異なる技術のうちの任意のものを使用し得る。配線・基板間コネクタ１３５の電気端子は、スルーボードまたは表面搭載構成により回路基板の伝導体に接続し得る。
【００５８】
図６Ａおよび図６Ｂに示される実施態様において、配線・基板間コネクタ１３５はデュアル・ロウプラグである。しかし、回路基板の伝導体と配線との間の他のタイプの電気接続部が使用され得る。例えば、配線は、独立した配線・基板間コネクタが存在する状態で、回路基板におけるパッドにはんだ付けされ得る。別の例として、縮れたコネクタが回路基板の伝導体に配線を接続するために使用され得る。
【００５９】
上述のように、搭載部１２５は、フェライトビーズハウジング１１０と配線・基板間コネクタ１３５の近傍における回路基板との間の比較的強固な機械的結合を提供するように構成された機械部材である。搭載部１２５は、概して、機械的に安定した非伝導材料から作られる。搭載部１２５は、フェライトビーズハウジング１１０と配線・基板間コネクタ１３５の近傍における回路基板２３０との間の中間部材の役割を果たす。概して、搭載部１２５は配線・基板間コネクタ１３５を囲み、配線・基板間コネクタ１３５の周囲において放射状に分布した複数の位置において回路基板に接続されている。
【００６０】
搭載部１２５は、収容部１４０と、ある数のスルーボード突出部１４５、１５０と、ある数の搭載フランジ１５５、１６０とを含む。収容部１４０は、配線・基板間コネクタ１３５の少なくとも一部を収容するように大きさを決められたボリュームまたは空間を規定する。図示されるように、収容部１４０は搭載部１２５のおおむね中心にある。図６Ｂに示されるように、搭載部１２５は配線・基板間コネクタ１３５を実質的に囲んでいる。突出部１４５、１５０および搭載フランジ１５５、１６０は収容部１４０の周囲においておおむね対称に、および放射状に配置されている。しかし、こうなるとは限らず、突出部１４５、１５０および搭載フランジ１５５、１６０は、収容部１４０の周囲において非対称的に配置されることもあり得る。実際、起こり得る機械的乱れの指向性が知られている用途では非対称な構成が好ましい場合がある。
【００６１】
図７Ａおよび図７Ｂは、搭載部１２５の別の実施形態を示す斜視図である。図７Ａおよび図７Ｂに示される搭載部１２５は上述の搭載部１２５と同様である。例えば、図７Ａおよび図７Ｂに示される搭載部１２５は、回路基板の厚さにまたがるスルーボード突出部１４５、１５０を含む。更に、スルーボード突出部１４５が翼状部１６５を含むスナップ留め部材であるのに対し、スルーボード突出部１５０は翼状部を含まない。示される搭載部１２５は、配線・基板間コネクタ１３５の少なくとも一部を収容するように大きさを決められたボリュームまたは空間を規定する収容部１４０を更に含む。しかし、少なくとも１つの違いは、図７Ａおよび図７Ｂに示される搭載部１２５が載置面２３５を含むことである。
【００６２】
例えば、図７Ａおよび図７Ｂに示される搭載部１２５は、フェライトビーズハウジング１１０のための載置面２３５を含む。載置面２３５はおおむね横方向に配向している。フェライトビーズハウジング１１０を搭載部１２５に装着する、および配置する隆起部２４０、２４５、および２５０が、載置面２３５から縦方向に突出している。図８Ａ、図８Ｂ、図８Ｃ、図８Ｄは、回路基板２３０に搭載されたフェライトビーズハウジング１１０と電気コネクタ組立体１０５とを含む幾つかの組立体１００の斜視図８００、平面図８０１、側面図８０２、および側面図８０２の断面図８０４を示す。様々な図８００、８０１、８０２、および８０４は、回路基板２３０に搭載された２つの組立体１００と、周辺の２つの配線・基板間コネクタ１３５とを示す。フェライトビーズハウジング１１０および搭載部１２５により囲まれていない配線・基板間コネクタ１３５が更に示されている。組立体１００により囲まれた配線・基板間コネクタ１３５が回路基板２３０の左側に示されており、組立体１００により囲まれていない配線・基板間コネクタ１３５が回路基板２３０の右側に示されている。
【００６３】
図８Ａに示される斜視図８００は、回路基板２３０の左側において配線・基板間コネクタ１３５を囲む２つの組立体１００を示す。組立体１００は回路基板２３０に組み立てられた搭載部１２５を含む。スルーボード突出部１４５が斜視図８００に示される。それぞれの基体１７５および蓋が搭載部１２５に装着されている。開口１２０が示されており、開口１２０は、１つまたは複数の配線が組立体を通ること、およびそれぞれの配線・基板間コネクタ１３５に装着されることを可能にする。
【００６４】
構造の一例において、回路基板２３０は、回路基板２３０に装着された、および配線・基板間コネクタ１３５を囲む搭載部１２５を備え得る。したがって、ユーザーは、１つまたは複数の配線を配線・基板間コネクタ１３５に装着する前に、（フェライトビーズ、基体１７５、および蓋１８０を含む）ハウジング１１０の開口１２０を通るように１つまたは複数の配線を滑らせ得る。１つまたは複数の配線が配線・基板間コネクタ１３５に装着された後、ユーザーはハウジング１１０の基体１７５をそれぞれの搭載部１２５に装着し得る。
【００６５】
図８Ｂに示される平面図８０１は、組立体１００が配線・基板間コネクタ１３５をどのように囲むか、および、１つまたは複数の配線がそれぞれの組立体１００を通るための、および、それぞれの配線・基板間コネクタ１３５に装着されるためのアクセスをどのように可能にするかを示す。配線・基板間コネクタ１３５は、回路基板の伝導体と基板から離れる方向に延びた配線との間の１つまたは複数の電気接続部を形成することに適した多くの異なるコネクタのうちの任意のものであり得る。配線・基板間コネクタ１３５は、電気接続部を形成するために、例えば、ピンおよびソケット、ブレード／接点、はんだ付けなどを包含する様々な異なる技術のうちの任意のものを使用し得る。配線・基板間コネクタ１３５の電気端子は、スルーボードまたは表面搭載構成により回路基板の伝導体に接続し得る。示される実施態様において、配線・基板間コネクタ１３５はデュアル・ロウプラグである。しかし、回路基板の伝導体と配線との間の他のタイプの電気接続部が使用され得る。例えば、配線は、独立した配線・基板間コネクタが存在する状態で回路基板におけるパッドにはんだ付けされ得る。別の例として、縮れたコネクタが、回路基板の伝導体に配線を接続するために使用され得る。
【００６６】
図８Ｃに示される側面図８０２は、スルーボード突出部１４５、１５０を使用した回路基板２３０への組立体１００の装着を明確に示す。スルーボード突出部１４５、１５０は搭載部１２５の基板対向面から縦方向に延びており、回路基板２３０の厚さにまたがるように大きさを決められている。スルーボード突出部１４５は翼状部１６５を含むスナップ留め部材である。組立てられたとき、翼状部１６５は突出部１４５から外向きに延びている。翼状部は回路基板２３０において適切に大きさを決められた開口を通した挿入中に突出部１４５に向かって内向きに柔軟であるが、搭載部１２５の基板対向面が回路基板２３０に接近したときに外向きに延びた位置に戻って、堅牢な機械的結合を形成する。スルーボード突出部１４５とは対照的に、スルーボード突出部１５０は翼状部を含まない。突出部１５０は、回路基板における適切に大きさを決められた、および位置している開口を通るように大きさを決められており、および位置している。したがって、スルーボード突出部１５０は、回路基板における搭載部１２５の適切な相対的な配置を確実なものとし、更なる機械的安定性の何らかの手段を提供し得る。
【００６７】
図８Ｄは、図８Ｃに示される側面図８０２の断面図８０４を示す。示されるように、搭載部１２５は、配線・基板間コネクタ１３５を実質的に囲んでいる。基体１７５は、内壁１８５、外壁１９０および床を含むものとして図示されている。内壁１８５は、リング形フェライトビーズの内側開口を通るように大きさを決められており、配線・基板間コネクタ１３５に電気的に接続された１つまたは複数の配線を収容するための縦開口を提供する。外壁１９０がフェライトビーズの外側を囲むように大きさを決められている一方で、床１９１は、基体１７５に収容されたフェライトビーズをサポートするために外壁１９０と内壁１８５との間に延びている。図８Ｄに示されるように、配線・基板間コネクタ１３５は、基体１７５内に、および内壁１８５により規定された縦開口内に部分的に縦方向に延びている。蓋１８０は、基体１７５に装着されたものとして示されており、縦壁２０５および天井２１０を含む。天井２１０は縦壁２０５から半径方向内向きに延びている。
【００６８】
本発明に関して示される例についての上述の説明は、要約で説明される事項を含め、網羅的であることも、開示される形態そのものへの限定であることも意図したものではない。本発明の特定の実施形態および例が、本明細書において例示を目的として説明されるが、本発明のより広い趣旨および範囲から逸脱することなく様々な同等な変更が可能である。実際、具体的で例示的な電圧、電流、周波数、出力範囲値、時間などが説明のために提示されること、および、本発明の教示による他の実施形態および例において他の値が使用されてもよいことが理解される。
【００６９】
前述の詳細な説明を考慮して、本発明の例に対してこれらの変更が適用され得る。後述の請求項で使用される用語は、本発明を明細書および請求項に開示されている特定の実施形態に限定するように解釈されてはならない。むしろ、範囲は、後述の請求項によりすべて定義されなければならず、確立された請求項の解釈の原則に従って解釈されなければならない。したがって、本明細書および図は、限定するものではなく例示的なものとみなされる。
【００７０】
本発明は特許請求の範囲において規定されるが、本発明が代替的に以下の例により規定され得ることが理解されなければならない。
【００７１】
例１．回路基板と、フィルタコンポーネントと、フィルタコンポーネントを収容するように構成されたフィルタコンポーネントハウジングであって、フィルタコンポーネントハウジングが、回路基板に結合された、フィルタコンポーネントハウジングと、回路基板に電気的に接続された、および、フィルタコンポーネントを通る少なくとも１つの配線と、を備える、デバイス。
【００７２】
例２．回路基板に結合された、および、回路基板に少なくとも１つの配線を電気的に接続する配線・基板間電気コネクタを更に備える、例１に記載のデバイス。
【００７３】
例３．フィルタコンポーネントが、フェライトビーズを備え、フィルタコンポーネントハウジングが、フェライトビーズハウジングである、例１または例２に記載のデバイス。
【００７４】
例４．フィルタコンポーネントが、配線と配線・基板間電気コネクタとの間の電気接続部を形成する場所と整列した開口を規定する、例１または例３に記載のデバイス。
【００７５】
例５．開口が、電気接続部を形成する場所と軸方向に整列した例４に記載のデバイス。
【００７６】
例６．フィルタコンポーネントが、おおむねリング形であり、フィルタコンポーネントハウジングが、フィルタコンポーネントを収容するように大きさを決められた空洞を規定する、例１から例５のいずれか１つに記載のデバイス。
【００７７】
例７．フィルタコンポーネントハウジングは、配線・基板間電気コネクタを囲む搭載部により回路基板に結合されている、例１から例６のいずれか１つに記載のデバイス。
【００７８】
例８．搭載部が、例２４から例３４のいずれか１つに記載の搭載部である、例７のデバイス。
【００７９】
例９．回路基板が、ゲートドライバユニットまたは電力コンバーターの一部である、例１から例８のいずれか１つに記載のデバイス。
【００８０】
例１０．回路基板に結合された電力コンバーター制御装置を更に備える、例１から例８のいずれか１つに記載のデバイス。
【００８１】
例１１．第２のフィルタコンポーネントと、第２のフィルタコンポーネントを収容するように構成された第２のフィルタコンポーネントハウジングであって、第２のフィルタコンポーネントハウジングが、回路基板に結合された、第２のフィルタコンポーネントハウジングと、回路基板に結合された第２の配線・基板間電気コネクタと、第２の配線・基板間電気コネクタに電気的に接続された、および第２のフィルタコンポーネントを通る第２の配線と、を更に備える、例１から例８のいずれか１つに記載のデバイス。
【００８２】
例１２．フィルタコンポーネントが、フェライトブロック、コア、リング、ＥＭＩフィルタ、またはチョークのうちの１つである、例１に記載のデバイス。
【００８３】
例１３．回路基板にフィルタコンポーネントを搭載するためのシステムであって、システムが、フィルタコンポーネントを収容するように大きさを決められたフィルタコンポーネントハウジングと、フィルタコンポーネントハウジングと回路基板との間の搭載部であって、搭載部が、回路基板にフィルタコンポーネントハウジングを結合するために構成された、搭載部と、を備える、システム。
【００８４】
例１４．搭載部が、フィルタコンポーネントハウジングに、および回路基板に接続された、例１３に記載のシステム。
【００８５】
例１５．搭載部が、回路基板を通って突出するように、および回路基板に搭載部を接続するように大きさを決められた１つまたは複数のスルーボード突出部を備える、例１３から例１４のいずれか１つに記載のシステム。
【００８６】
例１６．搭載部が、配線・基板間電気コネクタを収容するように大きさを決められた収容部を規定しており、搭載部における配線・基板間電気コネクタの収容が、コネクタにより回路基板に電気的に接続された１つまたは複数の配線を、フィルタコンポーネントハウジングに収容されたフィルタコンポーネントに整列させる、例１３から例１５のいずれか１つに記載のシステム。
【００８７】
例１７．フィルタコンポーネントとフィルタコンポーネントハウジングとの各々が、１つまたは複数の配線を通すように大きさを決められたそれぞれの開口を規定しており、フィルタコンポーネントがフィルタコンポーネントハウジングに収容されたとき、それぞれの開口が整列する、例１３から例１６のいずれか１つに記載のシステム。
【００８８】
例１８．フィルタコンポーネントハウジングが、おおむねリング形のフィルタコンポーネントを収容するように大きさを決められたおおむねリング形の空洞を規定している、例１３から例１７のいずれか１つに記載のシステム。
【００８９】
例１９．フィルタコンポーネントハウジングが、搭載部に可逆的に結合された例１３から例１８のいずれか１つに記載のシステム。
【００９０】
例２０．フィルタコンポーネントハウジングおよび搭載部が、フィルタコンポーネントハウジングと搭載部との間における相対的な回転により接続可能である、例１３から例１９のいずれか１つに記載のシステム。
【００９１】
例２１．フィルタコンポーネントが、少なくとも１つの配線を開口に通すように構成された開口を含み、フィルタコンポーネントハウジングが、開口が回路基板から縦方向に延びた配線を収容するように配向された状態で、フィルタコンポーネントを収容するように大きさを決められている、例１３から例２０のいずれか１つに記載のシステム。
【００９２】
例２２．フィルタコンポーネントが、フェライトビーズであり、フィルタコンポーネントハウジングが、フェライトビーズハウジングである、例１３から例２０のいずれか１つに記載のシステム。
【００９３】
例２３．搭載部が、例２４から例３４のいずれか１つに記載の搭載部である、例１３から例２２のいずれか１つに記載のシステム。
【００９４】
例２４．回路基板にフィルタコンポーネントを結合するように構成された搭載部であって、搭載部が、回路基板に配線を接続するための電気接続部を収容するように大きさを決められた収容部を規定しており、搭載部における電気接続部の収容が、フィルタコンポーネントがフィルタコンポーネントハウジングに収容されたとき、コネクタにより回路基板に電気的に接続された１つまたは複数の配線を整列させる、搭載部。
【００９５】
例２５．電気接続部が、配線・基板間電気コネクタを備える例２４に記載の搭載部。
【００９６】
例２６．搭載部が、回路基板を通って延びるように大きさを決められたスルーボード突出部を備える、例２４から例２５のいずれか１つに記載の搭載部。
【００９７】
例２７．スルーボード突出部が、回路基板とのスナップ留め接続部を形成するように構成された、例２６に記載の搭載部。
【００９８】
例２８．回路基板における適切に大きさを決められた開口を通したスルーボード突出部の挿入中に内向きに曲がるが、搭載部の基板対向面が回路基板に接近したときに外向きに延びた位置に戻るように構成された外向きに延びた翼状部を、スルーボード突出部が備える、例２６から例２７のいずれか１つに記載の搭載部。
【００９９】
例２９．搭載部が、フィルタコンポーネントハウジングに可逆的に結合するように構成された、例２６から例２８のいずれか１つに記載の搭載部。
【０１００】
例３０．搭載部とフィルタコンポーネントハウジングとが、搭載部とフィルタコンポーネントハウジングとの間における相対的な回転により接続可能である、例２６から例２９のいずれか１つに記載の搭載部。
【０１０１】
例３１．搭載部が、収容部の周りにおいて放射状に配置された２つ以上のフランジを備える、例２６から例３０のいずれか１つに記載の搭載部。
【０１０２】
例３２．フランジが、収容部から離れる方向に外向きに横方向に延びた例３１に記載の搭載部。
【０１０３】
例３３．フランジの少なくとも一部が、フィルタコンポーネントハウジングの対応する部分に収容されるように位置している、および大きさを決められている、例３１から例３２のいずれか１つに記載の搭載部。
【０１０４】
例３４．フランジが、フィルタコンポーネントハウジングの対応する部分を収容するように位置した、および大きさを決められた窪みを規定している、例３１から例３３のいずれか１つに記載の搭載部。
【０１０５】
例３５．フィルタコンポーネントが、フェライトビーズであり、フィルタコンポーネントハウジングが、フェライトビーズハウジングである、例３１から例３４のいずれか１つに記載の搭載部。
【０１０６】
例３６．フィルタコンポーネントが、フェライトブロック、コア、リング、ＥＭＩフィルタ、またはチョークのうちの１つである、例２４に記載の搭載部。
【図１】
2021526730.tif 000003
【図２Ａ】
2021526730.tif 000004
【図２Ｂ】
2021526730.tif 000005
【図３Ａ】
2021526730.tif 000006
【図３Ｂ】
2021526730.tif 000007
【図４】
2021526730.tif 000008
【図５】
2021526730.tif 000009
【図６Ａ】
2021526730.tif 000010
【図６Ｂ】
2021526730.tif 000011
【図７Ａ】
2021526730.tif 000012
【図７Ｂ】
2021526730.tif 000013
【図８Ａ】
2021526730.tif 000014
【図８Ｂ】
2021526730.tif 000015
【図８Ｃ】
2021526730.tif 000016
【図８Ｄ】
2021526730.tif 000017
【国際調査報告】
2021526730.tif 000018
2021526730.tif 000019
2021526730.tif 000020